(57)【要約】【課題】撮影装置において、違和感がない再生表示を行う。【解決手段】再生モードボタンを押圧操作する。オートプレイモードを選択しない場合には、そのままコマ送り再生モードになる。ズームボタンの右端部又は左端部を押すと、その都度メモリカードから画像データが読み出され、撮影時の姿勢のまま画像がＬＣＤに再生表示される。コマ送り再生モードからメニュー／実行ボタンを押圧操作してオートプレイモードを選択すると、メモリカードから撮影順に画像データとその付加情報が一定時間間隔で読み出される。横姿勢で撮影された横姿勢画像は、画像データになんらの画像処理も施すことなくそのまま横姿勢で、また縦姿勢で撮影された縦姿勢画像は、画像が正立して見えるように回転され、一定時間ずつＬＣＤに再生表示される。【選択図】        図５
2007088747.tif 000002
【特許請求の範囲】
【請求項１】
撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイに表示する画像再生表示方法において、
再生時のコマ送りを手動で行う手動コマ送り再生モードでは、前記姿勢情報に依らず撮影画像がディスプレイに表示される表示姿勢を撮影時と同じ表示姿勢のままでディスプレイに再生表示し、再生時のコマ送りを自動で行う自動コマ送り再生モードでは、前記姿勢情報に基づいて、縦姿勢で撮影された縦姿勢画像がディスプレイの画面上で正立して見えるように縦姿勢画像の表示姿勢を回転してディスプレイに再生表示することを特徴とする画像再生表示方法。
【請求項２】
前記自動コマ送り再生モードにおける縦姿勢画像の再生時には、前記縦姿勢画像の短辺の長さがディスプレイの画面の長辺の長さと一致し、かつ所定速度で自動的にチルトしながら徐々に縦姿勢画像の全体が表示されるようにしたことを特徴とする請求項１記載の画像再生表示方法。
【請求項３】
撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイに表示する画像再生表示装置において、
前記姿勢情報に依らず撮影画像がディスプレイに表示される表示姿勢を撮影時と同じ表示姿勢のままでディスプレイに再生表示しながら、コマ送りを手動で行う手動コマ送り再生モードと、
前記姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、
前記手動コマ送り再生モードと自動コマ送り再生モードとを選択的に切り替える切替手段と
を設けたことを特徴とする画像再生表示装置。
【請求項４】
撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイ又は外部接続されたテレビジョンに表示する画像再生表示装置において、
前記ディスプレイに撮影画像を再生表示する際には、前記姿勢情報に依らず撮影画像がディスプレイに表示される表示姿勢を撮影時と同じ表示姿勢のままでディスプレイに再生表示する通常再生モードと、
前記テレビジョンに撮影画像を再生表示する際には、前記姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、
前記通常再生モードとビデオ出力再生モードとを選択的に切り替える切替手段と
を設けたことを特徴とする画像再生表示装置。
【請求項５】
前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたことを特徴とする請求項３または４記載の画像再生表示装置。
【請求項６】
被写体像を光電変換して長方形の撮影画像を得る撮像手段と、この撮像手段が設けられた装置本体と、この装置本体の背面に配置され、少なくとも撮影画像を再生表示する横方向に長い長方形をした画面のディスプレイを備えた撮影装置において、
撮影時に装置本体の姿勢が縦，横いずれであるかを検出して姿勢情報を出力する撮影姿勢検出手段と、
前記姿勢情報を対応する撮影画像の画像データに付加する情報付加手段と、
前記姿勢情報に依らず撮影画像がディスプレイに表示される表示姿勢を撮影時と同じ表示姿勢のままでディスプレイに再生表示しながら、コマ送りを手動で行う手動コマ送り再生モードと、
前記画像データから姿勢情報を読み取り、この姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、
前記手動コマ送り再生モードと自動コマ送り再生モードとを選択的に切り替える切替手段と
を設けたことを特徴とする撮影装置。
【請求項７】
被写体像を光電変換して長方形の撮影画像を得る撮像手段と、この撮像手段が設けられた装置本体と、この装置本体の背面に配置され、前記撮影画像とほぼ同じアスペクト比の横方向に長い長方形をした画面を持ち、少なくとも撮影画像を再生表示するディスプレイと、前記撮影画像を表示するために外部のテレビジョンを接続するビデオ出力端子とを備えた撮影装置において、
撮影時に装置本体の姿勢が縦，横いずれであるかを検出して姿勢情報を出力する撮影姿勢検出手段と、
前記姿勢情報を対応する撮影画像の画像データに付加する情報付加手段と、
前記姿勢情報に依らず撮影画像が撮影時と同じ表示姿勢のままでディスプレイに再生表示される通常再生モードと、
前記ビデオ出力端子に外部のテレビジョンが接続されたことを検知する接続検知手段と、
この接続検知手段によってビデオ出力端子に外部のテレビジョンを接続したことが検知された際には、前記画像データから姿勢情報を読み取り、この姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、
前記通常再生モードとビデオ出力再生モードとを選択的に切り替える切替手段と
を設けたことを特徴とする撮影装置。
【請求項８】
前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたことを特徴とする請求項６または７記載の撮影装置。
【発明の詳細な説明】
【技術分野】
【０００１】
本発明は、画像再生表示方法及び装置並びに撮影装置に関し、更に詳しくは撮影された画像を再生する画像再生表示方法及び装置並びに撮影装置に関するものである。
【背景技術】
【０００２】
被写体光量に応じた電荷を蓄積するＣＣＤやＣＭＯＳなどのイメージセンサを用いて撮影を行うデジタルカメラやカメラ付き携帯電話などの撮影装置が広く普及している。一般に、イメージセンサから得られる画像は長方形状であり、撮影者は、横長の画像を得たい場合は撮影装置を横姿勢に構え、縦長の画像を得たい場合には撮影装置を縦姿勢に構えて撮影する。
【０００３】
撮影装置は、一般にカメラボディの背面に液晶ディスプレイを備えており、電子ビューファインダとしてスルー画を表示したり、撮影した画像を再生して確認することができる。
【０００４】
液晶ディスプレイは、一般に横長の長方形をしており、前記横姿勢で撮影された画像を再生表示すると正立して表示されるが、縦姿勢で撮影された画像は、カメラボディを撮影時と同じに９０°回転して縦姿勢にして再生表示しないと、正立した状態で見ることができない。なお、表示画像を９０°回転させる画像処理機能を有する機種もある。このような機種では、縦姿勢で撮影された画像についてこの処理を施しておけば、以後の再生表示においてカメラボディを回転することなく、全ての画像を正立して表示することができるようになる。
【０００５】
一方、縦姿勢，横姿勢を自動判別して、日付等のデータをフイルムに写し込む位置を変更する銀塩カメラが知られている（特許文献１）。また、縦姿勢，横姿勢を自動判別して、ファインダ内の表示を自動的に切り替える銀塩カメラが知られている（特許文献２）。また、以前に市販されていた「フジフイルム  フォトプレイヤー  ＡＰ−１」（商品名）は、コマ送りを手動で行う「コマ送り再生」モードや、コマ送りを自動で行う「スライドショー再生」モード（オートプレイモードともいう）等を有し、これらのモードを選択的に切り替えて、装填したフイルムカートリッジの画像を接続したテレビジョンに表示することができた。
【特許文献１】特開昭５４−２１１５号公報
【特許文献２】特開昭５７−１６１７３２号公報
【発明の開示】
【発明が解決しようとする課題】
【０００６】
上記特許文献１，２に記載のカメラの構える姿勢を判別する手段と、上記「フジフイルム  フォトプレイヤー  ＡＰ−１」（商品名）の再生モードとを組み合わせることにより、撮影装置の縦姿勢，横姿勢を自動判別して撮影した画像の付加情報として姿勢情報を画像データに付加し、再生表示を行う際には、自動的に、縦姿勢で撮影した画像は、正立して見えるように、画像を９０°回転して表示することが考えられる。
【０００７】
しかしながら、一律に縦姿勢で撮影した画像を９０°回転して表示すると、違和感を覚えるというユーザーもいる。すなわち、縦姿勢で撮影した画像は、撮影時は撮影装置の装置本体を縦姿勢にして撮影しているため、むしろそのままの状態で再生表示した方が、違和感が無いという意見である。また、縦姿勢で撮影した画像を９０°回転して表示すると、画像の左右に無駄な表示部分（ブランクエリア）が多くなって、肝心な画像が小さく表示され、却って画像の確認が困難になるという欠点がある。
【０００８】
本発明は、違和感がない再生表示を行うことができる画像再生表示方法及び装置並びに撮影装置を提供することを目的とする。また、縦姿勢で撮影された画像も確認しやすく表示できる画像再生表示方法及び装置並びに撮影装置を提供することを目的とする。
【課題を解決するための手段】
【０００９】
本発明の画像再生表示方法は、撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイに表示する画像再生表示方法において、再生時のコマ送りを手動で行う手動コマ送り再生モードでは、前記姿勢情報に依らず撮影画像がディスプレイに表示される表示姿勢を撮影時と同じ表示姿勢のままでディスプレイに再生表示し、再生時のコマ送りを自動で行う自動コマ送り再生モードでは、前記姿勢情報に基づいて、縦姿勢で撮影された縦姿勢画像がディスプレイの画面上で正立して見えるように縦姿勢画像の表示姿勢を回転してディスプレイに再生表示することを特徴とする。また、前記自動コマ送り再生モードにおける縦姿勢画像の再生時には、前記縦姿勢画像の短辺の長さがディスプレイの画面の長辺の長さと一致し、かつ所定速度で自動的にチルトしながら徐々に縦姿勢画像の全体が表示されるようにしたことを特徴とする。
【００１０】
本発明の画像再生表示装置は、撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイに表示する画像再生表示装置において、前記姿勢情報に依らず撮影画像がディスプレイに表示される表示姿勢を撮影時と同じ表示姿勢のままでディスプレイに再生表示しながら、コマ送りを手動で行う手動コマ送り再生モードと、前記姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、前記手動コマ送り再生モードと自動コマ送り再生モードとを選択的に切り替える切替手段とを設けたことを特徴とする。      
【００１１】
また、撮像装置の撮影時の姿勢が縦，横いずれであるかを示す姿勢情報を有する長方形の撮影画像を再生して、この撮影画像とほぼ同じアスペクト比を持つ横方向に長い長方形の画面のディスプレイ又は外部接続されたテレビジョンに表示する画像再生表示装置において、前記ディスプレイに撮影画像を再生表示する際には、前記姿勢情報に依らず撮影画像がディスプレイに表示される表示姿勢を撮影時と同じ表示姿勢のままでディスプレイに再生表示する通常再生モードと、前記テレビジョンに撮影画像を再生表示する際には、前記姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、前記通常再生モードとビデオ出力再生モードとを選択的に切り替える切替手段とを設けたことを特徴とする。また、前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたことを特徴とする。
【００１２】
本発明の撮影装置は、被写体像を光電変換して長方形の撮影画像を得る撮像手段と、この撮像手段が設けられた装置本体と、この装置本体の背面に配置され、少なくとも撮影画像を再生表示する横方向に長い長方形をした画面のディスプレイを備えた撮影装置において、撮影時に装置本体の姿勢が縦，横いずれであるかを検出して姿勢情報を出力する撮影姿勢検出手段と、前記姿勢情報を対応する撮影画像の画像データに付加する情報付加手段と、前記姿勢情報に依らず撮影画像がディスプレイに表示される表示姿勢を撮影時と同じ表示姿勢のままでディスプレイに再生表示しながら、コマ送りを手動で行う手動コマ送り再生モードと、前記画像データから姿勢情報を読み取り、この姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、前記手動コマ送り再生モードと自動コマ送り再生モードとを選択的に切り替える切替手段とを設けたことを特徴とする。
【００１３】
また、被写体像を光電変換して長方形の撮影画像を得る撮像手段と、この撮像手段が設けられた装置本体と、この装置本体の背面に配置され、前記撮影画像とほぼ同じアスペクト比の横方向に長い長方形をした画面を持ち、少なくとも撮影画像を再生表示するディスプレイと、前記撮影画像を表示するために外部のテレビジョンを接続するビデオ出力端子とを備えた撮影装置において、撮影時に装置本体の姿勢が縦，横いずれであるかを検出して姿勢情報を出力する撮影姿勢検出手段と、前記姿勢情報を対応する撮影画像の画像データに付加する情報付加手段と、前記姿勢情報に依らず撮影画像が撮影時と同じ表示姿勢のままでディスプレイに再生表示される通常再生モードと、前記ビデオ出力端子に外部のテレビジョンが接続されたことを検知する接続検知手段と、この接続検知手段によってビデオ出力端子に外部のテレビジョンを接続したことが検知された際には、前記画像データから姿勢情報を読み取り、この姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、前記通常再生モードとビデオ出力再生モードとを選択的に切り替える切替手段とを設けたことを特徴とする。また、前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたことを特徴とする。
【発明の効果】
【００１４】
本発明の画像再生表示方法よれば、手動コマ送り再生モードでは、姿勢情報に依らず撮影画像がディスプレイに表示される表示姿勢を撮影時と同じ表示姿勢のままでディスプレイに再生表示し、自動コマ送り再生モードでは、姿勢情報に基づいて、縦姿勢で撮影された縦姿勢画像がディスプレイの画面上で正立して見えるように縦姿勢画像の表示姿勢を回転してディスプレイに再生表示するので、違和感がない再生表示を行うことができる。また、前記自動コマ送り再生モードにおける縦姿勢画像の再生時には、前記縦姿勢画像の短辺の長さがディスプレイの画面の長辺の長さと一致し、かつ所定速度で自動的にチルトしながら徐々に縦姿勢画像の全体が表示されるようにしたので、縦姿勢で撮影された画像も確認しやすく表示できる。
【００１５】
本発明の画像再生表示装置によれば、姿勢情報に依らず撮影画像がディスプレイに表示される表示姿勢を撮影時と同じ表示姿勢のままでディスプレイに再生表示しながら、コマ送りを手動で行う手動コマ送り再生モードと、姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、手動コマ送り再生モードと自動コマ送り再生モードとを選択的に切り替える切替手段とを設けたので、違和感がない再生表示を行うことができる。
【００１６】
また、ディスプレイに撮影画像を再生表示する際には、姿勢情報に依らず撮影画像がディスプレイに表示される表示姿勢を撮影時と同じ表示姿勢のままでディスプレイに再生表示する通常再生モードと、テレビジョンに撮影画像を再生表示する際には、姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、通常再生モードとビデオ出力再生モードとを選択的に切り替える切替手段とを設けたので、違和感がない再生表示を行うことができる。
【００１７】
また、前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたので、縦姿勢で撮影された画像も確認しやすく表示できる。
【００１８】
本発明の撮影装置によれば、撮影時に装置本体の姿勢が縦，横いずれであるかを検出して姿勢情報を出力する撮影姿勢検出手段と、姿勢情報を対応する撮影画像の画像データに付加する情報付加手段と、姿勢情報に依らず撮影画像がディスプレイに表示される表示姿勢を撮影時と同じ表示姿勢のままでディスプレイに再生表示しながら、コマ送りを手動で行う手動コマ送り再生モードと、画像データから姿勢情報を読み取り、この姿勢情報に基づいて、縦姿勢で撮影された縦姿勢画像がディスプレイの画面上で正立して見えるように縦姿勢画像の表示姿勢を回転してディスプレイに再生表示しながら、コマ送りを自動で行う自動コマ送り再生モードと、手動コマ送り再生モードと自動コマ送り再生モードとを選択的に切り替える切替手段とを設けたので、違和感がない再生表示を行うことができる。
【００１９】
また、撮影時に装置本体の姿勢が縦，横いずれであるかを検出して姿勢情報を出力する撮影姿勢検出手段と、姿勢情報を対応する撮影画像の画像データに付加する情報付加手段と、姿勢情報に依らず撮影画像が撮影時と同じ表示姿勢のままでディスプレイに再生表示される通常再生モードと、ビデオ出力端子に外部のテレビジョンが接続されたことを検知する接続検知手段と、この接続検知手段によってビデオ出力端子に外部のテレビジョンを接続したことが検知された際には、画像データから姿勢情報を読み取り、この姿勢情報に基づいて、縦姿勢で撮影された縦姿勢画像がテレビジョンの画面上で正立して見えるように縦姿勢画像の表示姿勢を回転してテレビジョンの画面に再生表示するビデオ出力再生モードと、通常再生モードとビデオ出力再生モードとを選択的に切り替える切替手段とを設けたので、違和感がない再生表示を行うことができる。
【００２０】
また、前記自動コマ送り再生モードまたはビデオ出力再生モードにおける縦姿勢画像の再生時には、前記縦姿勢画像の短辺の長さがディスプレイまたはテレビジョンの画面の長辺の長さと一致し、かつ所定速度で自動的にチルトしながら徐々に縦姿勢画像の全体が表示されるようにしたので、縦姿勢で撮影された画像も確認しやすく表示できる。
【発明を実施するための最良の形態】
【００２１】
本発明の第１実施形態を示す図１において、撮影装置であるデジタルカメラ１０のカメラボディ１１の前面には、撮影レンズ１２、ストロボ発光部１４、オートフォーカス（ＡＦ）補助光投光窓１５及び調光センサ１６が設けられている。また、カメラボディ１１の左手側面には、図示していないが、メモリカード７５（図３参照）を装着するためのカードスロットが設けられている。
【００２２】
また、カメラボディ１１の上面には、回転させることによりオートやマニュアル等の撮影モードを切り替えるリング状のモード切替ダイヤル１８，この中心部に設けられたシャッタボタン１９，及び電源スイッチ２０が配設されている。
【００２３】
図２に示すように、カメラボディ１１の背面には、液晶ディスプレイ（ＬＣＤ）２２，ズームボタン２４，多機能の十字ボタン２６，メニュー／実行ボタン２７，液晶表示／戻るボタン２８，再生モードボタン３１，フォトモードボタン３２が設けられている。
【００２４】
前記ＬＣＤ２２は、その画面２２ａが横方向（水平方向）に長い長方形をしており、そのアスペクト比は、後述するＣＣＤによる撮影画像のアスペクト比とほぼ同じで約１．５ある。前記ＬＣＤ２２は、撮影時に電子ファインダとして使用するとともに、撮影した画像のプレビュー画やメモリカード７５から読み出した再生画像等を画面２２ａ上に表示する。また、十字ボタン２６を使用したメニューの選択や各メニューにおける各種項目の設定などもＬＣＤ２２の画面２２ａを用いて行われる。
【００２５】
前記ズームボタン２４は、右端部２４ａを押圧することで望遠（TELE）方向にズーミングを行い、左端部２４ｂを押圧することで広角（WIDE）方向にズーミングを行う。十字ボタン２６は、上下左右のいずれかの縁部を押圧することによって、対応する４方向（上、下、左、右）の指示を入力でき、メニュー画面における各種設定項目の選択や設定内容の変更を指示する操作ボタンとして使用されるとともに、電子ズームの倍率調整や再生コマの送り／戻しを指示する手段として用いられる。
【００２６】
メニュー／実行ボタン２７は、各モードの通常画面からメニュー画面へ遷移させる時に使用されるとともに、選択内容の確定、処理の実行（確認）指示の時などに使用される。液晶表示／戻るボタン２８は、撮影モードや再生モードで一定時間が経過すると省エネのためにＬＣＤ２２のバックライトが消灯されるが、この消灯状態に押圧すると、ＬＣＤ２２のバックライトが点灯される。また、液晶表示／戻るボタン２８は、メニューから選んだ項目の取消（キャンセル）や一つ前の操作状態に戻る時などに使用される。
【００２７】
再生モードボタン３１は、これを押圧操作すると、撮影された画像をＬＣＤ２２に再生表示する。この場合、ズームボタン２４の右端部２４ａ又は左端部２４ｂを押圧することにより、コマ送りを手動で行う手動コマ送り再生モード（以下、コマ送り再生モードという）になる。詳しくは後述するように、このコマ送り再生モードからメニュー／実行ボタン２７を押すと、メニュー画面が表示され、再生時のコマ送りを自動で行う自動コマ送り再生モードであるオートプレイモードを選択することができる。
【００２８】
フォトモードボタン３２は、標準色調の「Ｆ−スタンダード」，風景や花の撮影に最適な色彩を実現する「Ｆ−クローム」，シックな黒白にする「Ｆ−Ｂ＆Ｗ」の設定や、記録画素数，感度，プリント予約の各設定を行う際に使用される。
【００２９】
デジタルカメラ１０の電気的構成を示す図３において、撮影レンズ１２の背後には、撮影レンズ１２を透過した被写体光を撮像する撮像手段であるＣＣＤ５０が配置されている。ＣＣＤ５０は、タイミングジェネレータ（ＴＧ）５２を介して、デジタルカメラ１０の全体を制御する制御手段であるシステムコントローラ５１に接続されている。
【００３０】
システムコントローラ５１は、ＴＧ５２を制御してタイミング信号（クロックパルス）を発生させる。ＣＣＤ５０は、ＴＧ５２から入力されるタイミング信号（クロックパルス）によって駆動される。ＣＣＤ５０から出力された撮像信号は、相関二重サンプリング回路（ＣＤＳ）５３に入力され、ＣＣＤ５０の各セルの蓄積電荷量に対応したＲ，Ｇ，Ｂの画像データとして出力される。ＣＤＳ５３から出力された画像データは、増幅器（ＡＭＰ）５４で増幅され、Ａ／Ｄ変換器（Ａ／Ｄ）５５によって、アナログ信号からデジタル信号の画像データに変換される。
【００３１】
画像入力コントローラ５６は、データバス５７を介してシステムコントローラ５１に接続されている。また、データバス５７には、メモリ５８が接続されており、このメモリ５８としては、例えば、ＳＤＲＡＭが用いられる。システムコントローラ５１は、画像入力コントローラ５６を制御して、Ａ／Ｄ５５から出力された画像データをメモリ５８に記憶させる。この画像データは、画像再生処理回路５９及びＬＣＤドライバ６０を介してＬＣＤ２２にスルー画像として表示される。
【００３２】
前記画像再生処理回路５９は、スルー画表示の際には、なんら画像データに処理を加えることなく、そのまま画像データをＬＣＤドライバ６０に送るが、詳しくは後述するように、一旦メモリカード７５に記憶された画像データを読み出してＬＣＤ２２に表示する再生表示の際には、再生モードの種類によっては、回転等の画像処理を行う。
【００３３】
また、ビデオ出力端子６２にテレビ（ＴＶ）モニタ６４を接続すると、これを接続検出スイッチ６５が検出し、画像再生処理回路５９が画像データをビデオエンコーダ６６に入力する。ビデオエンコーダ６６は、画像データをＮＴＳＣ信号に変換してＴＶモニタ６４に送り、再生画像がＴＶモニタ６４に表示される。
【００３４】
画像信号処理回路６８は、メモリ５８に画像データが記憶されている際に、階調変換、ホワイトバランス補正、γ補正処理等の各種画像処理を施す。また、ＹＣ変換処理回路７０は、各種画像処理が施された画像データを輝度信号Yと色差信号Ｃｒ，Ｃｂとに変換する。
【００３５】
圧縮伸張処理回路７２は、ＹＣ変換処理回路７０によって変換された画像データに対して、所定の圧縮形式（例えば、ＪＰＥＧ形式）で圧縮処理を施す。また、動画撮影時には、ＭＰＥＧ形式等の圧縮形式で圧縮処理を施す。圧縮処理が施された画像データ（静止画像データ及び動画像データ）は、メディアコントローラ７４を介してメモリカード７５に記憶される。
【００３６】
前記システムコントローラ５１には、前記ストロボ発光部１４を駆動するストロボ回路７８と、前記シャッタボタン１９，電源スイッチ２０，ズームボタン２４、多機能の十字ボタン２６、液晶表示ボタン２８，メニュー／実行ボタン２７，キャンセル／戻るボタン３２等からなる操作部７９と、カメラボディ１１の姿勢が縦横いずれであるかを検出する縦横姿勢検出装置８０とが接続されている。
【００３７】
前記縦横姿勢検出装置８０は、図４に示すように、円弧状をした筒８１の中に水銀８２が封入してある。筒８１には、中間部と両端の３箇所にそれぞれ一対の電極８３〜８５が設けられている。ユーザーがカメラボディ１１を横位置に構えた横姿勢（Ａ）では、筒８１の中間部に水銀８２があって電極８３を短絡させ、ユーザーがカメラボディ１１を縦位置に構えた横姿勢（Ｂ）では、筒８１の端部に水銀８２が移動して、電極８４又は電極８５のいずれかが短絡する。システムコントローラ５１は、撮影時に縦横姿勢検出装置８０の電極８３〜８５を監視しており、どの電極が短絡しているかによってカメラボディ１１の撮影時の姿勢を特定し、このボディ姿勢情報を撮影画像の付加情報の一つとして画像データに付加する。
【００３８】
このように構成されたデジタルカメラ１０で撮影された画像を再生するには、図５に示すように、まず再生モードボタン３１を押圧操作する（ｓｔ１）。オートプレイモードを選択しない場合には（ｓｔ２）、そのままコマ送り再生モードになるから（ｓｔ３）、ズームボタン２４の右端部２４ａ又は左端部２４ｂを押し、手動で再生したい画像を選択する。
【００３９】
右端部２４ａ又は左端部２４ｂが押される度に、メモリカード７５に記憶されている撮影済の画像データが撮影順に１コマずつ読み出され、画像再生処理回路５９に送られる。画像再生処理回路５９は、画像データをなんら修正することなく、ＬＣＤドライバ６０に送るから、図７に示すように、撮影時の姿勢のまま画像がＬＣＤ２２に再生表示される。なお、同図（Ａ）に示す画像９０は、横姿勢の例、（Ｂ）に示す画像９１は縦姿勢の例を示す。
【００４０】
このように、コマ送り再生モードでは、撮影時と同じ状態でそのまま再生表示されるので、違和感なく鑑賞できるとともに、自分がどのような状態で撮影したかなどもよく分かり、撮影した画像を十分に確認できる。
【００４１】
コマ送り再生モードからメニュー／実行ボタン２７を押圧操作すると、図６に示すように、メニュー画面３４が表示される。十字ボタン２６を操作して、メニューバー３６に表示されているアイコンのうち、オートプレイモードを示すアイコン３８にカーソル４０を合わせると、アイコン３８が反転表示される。
【００４２】
この状態からメニュー／実行ボタン２７を押圧操作すると、オートプレイモードにおける４種類の表示方法４４〜４７が表示される。表示方法４４，４５は、各コマのフェードイン，フェードアウトが斜めに行われる点で共通しているが、表示方法４５は表示方法４４よりもコマの表示間隔が短い。また、表示方法４６，４７は各コマの切替が瞬時に行われる点で共通しているが、表示方法４７は表示方法４６よりもコマの表示間隔が短い。
【００４３】
十字ボタン２６を使用して長方形をしたカーソル４８を上下に移動させ、例えばカーソル４８を表示方法４７に合わせると、表示方法４７の短冊状の内側に描かれた絵が反転される。この状態からメニュー／実行ボタン２７を押圧操作すると、表示方法４７によるオートプレイモードが開始される（ｓｔ２）。
【００４４】
メモリカード７５から撮影順に画像データとその付加情報が一定時間間隔で読み出され、画像再生処理回路５９に送られる（ｓｔ４，５）。画像再生処理回路５９は、１コマ目の画像データの付加情報の中にある姿勢情報を参照して、横姿勢であるか縦姿勢であるかを確認する（ｓｔ６）。なお、同じ縦姿勢でも、ストロボ発光部１４が上側になる第１縦姿勢と下側になる第２縦姿勢とがあり、第１縦姿勢では電極８４が短絡され、第２縦姿勢では電極８５が短絡されるから、姿勢情報が異なる。被写体に補助光を照射する場合、上方から照射するのが自然であるから、第１縦姿勢で撮影されるのが一般的である。
【００４５】
横姿勢の場合には、画像再生処理回路５９は、コマ送り再生モード時と同様に、画像データになんらの画像処理も施すことなくＬＣＤドライバ６０に送る。また、縦姿勢の場合には、画像再生処理回路５９は、画像データの付加情報の中にある姿勢情報を参照して、第１縦姿勢の場合には、画像が９０°回転して表示されるように、また第２縦姿勢の場合には、画像が２７０°回転して表示されるように、画像データを変換してＬＣＤドライバ６０に送る（ｓｔ７）。
【００４６】
これにより、図８に示すように、横姿勢で撮影された横姿勢画像９０は、そのまま横姿勢で一定時間再生表示され（Ａ）、縦姿勢で撮影された縦姿勢画像９１は、正立した状態で一定時間再生表示される（Ｂ）（ｓｔ８）。なお、前記一定時間は、１秒間とする。この後、同様にして２コマ目以降の画像が、横姿勢で撮影されたものであればそのままで、また縦姿勢で撮影されたものであれば９０°もしくは２７０°回転して、ＬＣＤ２２に１秒間ずつ順次に表示される（ｓｔ９）。
【００４７】
メモリカード７５に記憶されている全撮影コマの再生が終了すると（ｓｔ１０）、オートプレイモードの再生動作が停止される。なお、この状態から、ズームボタン２４の右端部２４ａ又は左端部２４ｂを押圧操作すれば、コマ送り再生モードとなり、また、オートプレイモードの選択操作を行えば、再びオートプレイモードになる。
【００４８】
また、ＴＶモニタ６４をビデオ出力端子６２に接続し（接続検出スイッチ６５がオン）、かつ再生モードにした場合には、オートプレイモードにセットしなくても、画像再生処理回路５９は画像データの付加情報の中にある姿勢情報を参照して、第１縦姿勢の場合には、画像が９０°回転して表示されるように、また第２縦姿勢の場合には、画像が２７０°回転して表示されるように、画像データを変換してからビデオエンコーダ６６に送る。ビデオエンコーダ６６は、画像データをＮＴＳＣ信号に変換してＴＶモニタ６４に送り、再生画像がＴＶモニタ６４に表示される。
【００４９】
また、上記実施形態では、図８に示すように、縦姿勢画像９１の全体が表示されるようにしたが、縦姿勢画像９１の全体が一度に確認できるという利点がある反面、縦姿勢画像９１が小さく表示されるため、絵柄によっては却って縦姿勢画像９１の確認が困難になるという欠点がある。また、縦姿勢画像９１の左右にブランクエリア９２，９３が生じるという欠点もある。
【００５０】
そこで、オートプレイモードにセットした場合やＴＶモニタ６４を接続した場合には、図９に示すように、所定速度で自動的にチルトしながら徐々に縦姿勢画像９１の全体が表示されるオートチルト表示を行うようにするのが好ましい。このオートチルト表示では、縦姿勢画像９１の短辺の長さがＬＣＤ２２またはＴＶモニタ６４の画面の長辺の長さと一致し、かつ所定速度で自動的にチルトしながら徐々に縦姿勢画像９１の全体が表示されるから、縦姿勢画像９１の確認をより確実に行うことができる。
【００５１】
オートチルト表示において、縦姿勢画像９１をチルトする速度は、画像上方部の表示を開始してから画像下方部の表示を終了するまで１秒間とする。また、チルトする方向は、画像上方部から表示を開始するのが一般的であるが、画像下方部から表示するようにしてもよい。なお、縦姿勢画像９１の全体が一度に表示される通常表示と、前記オートチルト表示とは、随時切り替えることができるようにするのが好ましい。
【００５２】
次に、本発明の第２実施形態を示す図１０において、画像再生表示装置１００は、装置本体１０１と、この上面に回動自在に取り付けられたＬＣＤ１０２とからなる。装置本体１０１の内部構成は、前記第１実施形態から撮像に係る構成（撮影レンズやＣＣＤ，ストロボ回路等）を取り除き、機能を再生に係るもののみに限定したものである。
【００５３】
装置本体１０１の前面に設けられたメモリスロット１０４にメモリカード７５を挿入すると、メモリカード７５に記憶されている画像データが読み出され、ＬＣＤ１０２に画像が再生表示される。デフォルトでは、コマ送りを手動で行う手動コマ送り再生モードになっており、送りボタン１０６，戻しボタン１０７を押圧操作することにより、ユーザが望むペースで任意のコマを鑑賞できるようになっている。
【００５４】
前記手動コマ送り再生モードでは、上記第１実施形態と同様に、画像データに付加された姿勢情報は無視され、撮影された時の姿勢のままＬＣＤ１０２に表示される。また、モード選択ダイヤル１０８を操作して、コマ送りを自動で行うオートプレイモードにセットすると、一定間隔でコマ送りされるとともに、縦姿勢情報をもつ画像は正立して見えるように、９０°もしくは２７０°回転してＬＣＤ１０２に表示される。このオートプレイモードでは、表示画像のサイズは小さくなるが一度に画像の全体を表示する通常モードと、前記オートチルト表示を行うチルトモードとが選択可能になっている。
【００５５】
また、装置本体１０１の側面に設けられたビデオ出力端子１０９に液晶テレビ等のＴＶモニタ６４を接続すると、自動的にオートプレイモードにセットされ、メモリカード７５内の画像が一定時間間隔で順次に表示される。
【００５６】
以上説明した実施形態では、オートプレイモードにおける各画像の表示時間を１秒間としたが、本発明はこれに限定されることなく、例えば０．５秒間としてもよい。また、縦姿勢画像をチルトする速度を、画像上方部の表示を開始してから画像下方部の表示を終了するまで１秒間としたが、本発明はこれに限定されることなく、例えば０．５秒間や１．５秒間としてもよい。また、撮影画像及びＬＣＤの表示画面のアスペクト比を約１．５としたが、本発明はこのような数値に限定されないのは勿論である。また、上記実施形態は、デジタルカメラであったが、本発明はこれに限定されることなく、例えばカメラ付き携帯電話やカメラ付きＰＤＡでもよい。
【図面の簡単な説明】
【００５７】
【図１】本発明の第１実施形態であるデジタルカメラの外観を前側から示す斜視図である。
【図２】デジタルカメラの背面を示す平面図である。
【図３】デジタルカメラの電気的構成を示すブロック図である。
【図４】縦横姿勢検出装置を示す説明図である。
【図５】再生モードの主なシーケンスを示すフローチャートである。
【図６】ＬＣＤのメニュー画面を示す説明図である。
【図７】コマ送り再生モードにおける画像の表示例を示す説明図である。
【図８】オートプレイモードにおける画像の表示例を示す説明図である。
【図９】オートチルト表示における画像の表示例を示す説明図である。
【図１０】本発明の第２実施形態である画像再生表示装置の外観を示す説明図である。
【符号の説明】
【００５８】
１０  デジタルカメラ
１１  カメラボディ
２２，１０２  ＬＣＤ
３１  再生モードボタン
５０  ＣＣＤ
５１  システムコントローラ
５９  画像再生処理回路
６２，１０９  ビデオ出力端子
６４  ＴＶモニタ
６５  接続検出スイッチ
７５  メモリカード
８０  縦横姿勢検出装置
９０  横姿勢画像
９１  縦姿勢画像
１００  画像再生表示装置
【図１】
2007088747.tif 000003
【図２】
2007088747.tif 000004
【図３】
2007088747.tif 000005
【図４】
2007088747.tif 000006
【図５】
2007088747.tif 000007
【図６】
2007088747.tif 000008
【図７】
2007088747.tif 000009
【図８】
2007088747.tif 000010
【図９】
2007088747.tif 000011
【図１０】
2007088747.tif 000012